(57)【要約】【課題】二重床構造の低床化を図ることができる低床用根太ユニット及びそれに用いる根太受金具を提供する。【解決手段】部屋の壁際に取り付けられる長尺の根太材２０を支持する根太受金具１０であって、基礎床１０１上に配設される防振ゴム１１（接床台座）と、防振ゴム１１に垂直に支持された支持ボルト１２と、支持ボルト１２に係合する雌ねじ部１４ａを有してその回転動作に伴い上下移動し高さを調節する支持プレート１３とを有し、支持プレート１３は、雌ねじ部１４ａが形成されるねじ受部１４の一端に、縦板部１５を介してねじ受部１４よりも低い位置になるように根太材２０の下面を支持する根太支持部１６が屈曲形成されるとともに、ねじ受部１４の裏面と縦板部１５とにより形成される空所に、防振ゴム１１の一部が収納可能に形成されている。【選択図】      図１
2013079529.tif 000002
【特許請求の範囲】
【請求項１】
部屋の壁際に取り付けられる長尺の根太材を支持する根太受金具であって、コンクリートスラブ等の基礎床上に配設される接床台座と、該接床台座に垂直に支持された支持ボルトと、該支持ボルトに係合する雌ねじ部を有してその回転動作に伴い上下移動し高さを調節する支持プレートとを有し、前記支持プレートは、前記雌ねじ部が形成されるねじ受部の一端に、縦板部を介して前記ねじ受部よりも低い位置になるように前記根太材の下面を支持する根太支持部が屈曲形成されるとともに、前記ねじ受部の裏面と前記縦板部とにより形成される空所に、前記接床台座の一部が収納可能に形成されていることを特徴とする根太受金具。
【請求項２】
請求項１記載の根太受金具を用いた低床用根太ユニットであって、長尺の根太材と、該根太材の長さ方向の途中位置に設けられる複数の前記根太受金具とを備えてなり、前記根太材は、前記部屋の壁際と前記縦板部との間に挟まれた状態で固定されることを特徴とする低床用根太ユニット。
【請求項３】
部屋の壁際に取り付けられる長尺の根太材を支持する根太受金具であって、コンクリートスラブ等の基礎床上に配設される接床台座と、該接床台座に垂直に支持された支持ボルトと、該支持ボルトに係合する雌ねじ部を有してその回転動作に伴い上下移動し高さを調節する支持プレートとを有し、前記支持プレートは、前記雌ねじ部が形成されるねじ受部の両端に、縦板部を介して前記ねじ受部よりも低い位置になるように前記根太材の下面を支持する根太支持部が屈曲形成されることにより前記ねじ受部を上面とする凸部が形成されるとともに、該凸部の裏面に形成される空所に前記接床台座の一部が収納可能に形成されていることを特徴とする根太受金具。
【請求項４】
請求項３記載の根太受金具を用いた低床用根太ユニットであって、長尺の根太材と、該根太材の長さ方向の途中位置に設けられる複数の前記根太受金具とを備えてなり、前記根太材は、その下面側に前記支持プレートの凸部を収納可能な凹部と、該凹部の上面に前記支持ボルトの上端部を配置可能な調整孔とが設けられており、該凹部に前記支持プレートの凸部を収納するとともに、前記根太材の下面が前記根太支持部により支持されていることを特徴とする低床用根太ユニット。
【請求項５】
前記根太受金具は、前記支持プレートを最下降位置に配置した際に、前記支持ボルトの頭部が、前記根太支持部に載置された前記根太材の上端面より低くなるように設定されていることを特徴とする請求項２又は４に記載の低床用根太ユニット。
【発明の詳細な説明】
【技術分野】
【０００１】
本発明は、コンクリートスラブ等の基礎床上に形成される二重床構造の施工において使用される低床用根太ユニット及びそれに用いる根太受金具に関する。
【背景技術】
【０００２】
近年、集合住宅やオフィスビル等の多くの建造物に、二重床構造が採用されている。この二重床構造においては、コンクリートスラブ等の基礎床と床パネルとの間に空間部を形成することにより、遮音性を高めるとともに、その空間部に設備配管や配線等を設けることができるようになっている。
この種の二重床構造の施工において、床パネルは、基礎床上に配設された支持脚と部屋の壁際に設けられた際根太によって支持される。そして、際根太の施工は、例えば、特許文献１及び特許文献２に記載されているように、長尺の根太材に高さ調節可能な受部材（支持プレート）を有する複数の根太受金具を取り付けて行われる。
【０００３】
特許文献１には、Ｌ字型受部で根太材を支持し、その根太材の高さを上下調節可能な受部材と、基礎床上に回転自在に立設され、受部材に形成されたねじ穴と螺合するねじ部が形成された支持脚部とからなる根太受金具が提案されている。この場合、根太受金具は、Ｌ字型受部で根太材を支持しながら壁に沿って配置され、受部材を所定の床高さに設定した後に、根太材を壁に釘もしくは粘着シート等の適当な手段によって固定することにより、際根太が施工されている。
【０００４】
また、特許文献２には、長尺状の根太材を木材等ではなく金属や合成樹脂等のチャンネル材により形成したものが提案されている。チャンネル材の上面に、長手方向に所定間隔で多数の透孔を設けるとともに、その透孔位置に合わせて支持脚（根太受金具）を固定することにより、根太を高さ調整可能に形成している。そして、根太材が固定された支持脚を、基礎床上に接着又は固定金具等によって固定することにより、際根太が施工されている。
【先行技術文献】
【特許文献】
【０００５】
【特許文献１】特許第３１１５６６２号公報
【特許文献２】特開２００２‐３０７８７号公報
【発明の概要】
【発明が解決しようとする課題】
【０００６】
ところで、集合住宅等においては、広い室内空間を確保するため、床下空間を狭くして床面を低くした低床の二重床構造が望まれている。
しかしながら、従来の一般的な根太受金具は、特許文献１の図１５に示されるように、根太材の真下に支持脚を支持する台座（接床台座）が配置されており、根太材の厚みと接床台座の厚みとの合計の厚みよりも、根太の施工高さを低くすることができなかった。
また、特許文献１及び特許文献２の根太受金具においても、根太材の設置高さよりも下方に接床台座が設置される構成となっており、低床化としての対策が十分ではなかった。
【０００７】
本発明は、このような事情に鑑みてなされたもので、二重床構造の低床化を図ることができる低床用根太ユニット及びそれに用いる根太受金具を提供することを目的とする。
【課題を解決するための手段】
【０００８】
本発明は、部屋の壁際に取り付けられる長尺の根太材を支持する根太受金具であって、コンクリートスラブ等の基礎床上に配設される接床台座と、該接床台座に垂直に支持された支持ボルトと、該支持ボルトに係合する雌ねじ部を有してその回転動作に伴い上下移動し高さを調節する支持プレートとを有し、前記支持プレートは、前記雌ねじ部が形成されるねじ受部の一端に、縦板部を介して前記ねじ受部よりも低い位置になるように前記根太材の下面を支持する根太支持部が屈曲形成されるとともに、前記ねじ受部の裏面と前記縦板部とにより形成される空所に、前記接床台座の一部が収納可能に形成されていることを特徴とする。
【０００９】
また、本発明の低床用根太ユニットは、長尺の根太材と、該根太材の長さ方向の途中位置に設けられる複数の前記根太受金具とを備えてなり、前記根太材は、前記部屋の壁際と前記縦板部との間に挟まれた状態で固定されることを特徴とする。
【００１０】
この根太受金具及び低床用根太ユニットにおいては、ねじ受部よりも根太支持部を低い位置に形成するとともに、ねじ受部の裏面と縦板部とにより形成される空所に、接床台座の一部を収納可能にすることで、二重床構造の低床化を図ることができる。
また、部屋の壁際と支持プレートの縦板部との間にパッキンを介して根太材を挟んだ状態で固定して際根太を施工することにより、入居後に設置される重量物による上方からの荷重にも対応でき、含水率の変化などによる伸縮により発生する床パネルの変形を防止することができる。さらに、根太材を根太受金具に固定した状態で高さ調節をすることができるので、根太の施工作業を容易に行うことができる。
【００１１】
本発明は、部屋の壁際に取り付けられる長尺の根太材を支持する根太受金具であって、コンクリートスラブ等の基礎床上に配設される接床台座と、該接床台座に垂直に支持された支持ボルトと、該支持ボルトに係合する雌ねじ部を有してその回転動作に伴い上下移動し高さを調節する支持プレートとを有し、前記支持プレートは、前記雌ねじ部が形成されるねじ受部の両端に、縦板部を介して前記ねじ受部よりも低い位置になるように前記根太材の下面を支持する根太支持部が屈曲形成されることにより前記ねじ受部を上面とする凸部が形成されるとともに、該凸部の裏面に形成される空所に前記接床台座の一部が収納可能に形成されていることを特徴とする。
【００１２】
また、本発明の低床用根太ユニットは、長尺の根太材と、該根太材の長さ方向の途中位置に設けられる複数の前記根太受金具とを備えてなり、前記根太材は、その下面側に前記支持プレートの凸部を収納可能な凹部と、該凹部の上面に前記支持ボルトの上端部を配置可能な調整孔とが設けられており、該凹部に前記支持プレートの凸部を収納するとともに、前記根太材の下面が前記根太支持部により支持されていることを特徴とする。
【００１３】
この場合、支持プレートのねじ受部よりも根太支持部を低い位置に形成し、支持プレートの凸部の裏側に接床台座の一部を収納可能にするとともに、根太材の下面に支持プレートの凸部を収納可能な凹部を設けることにより、二重床構造の低床化を図ることができる。
また、ねじ受部の両側に設けられる根太支持部により根太材を支持する構成としたので、低床用根太ユニットを基礎床上に自立させることができ、根太施工時における作業性を向上させることができる。さらに、入居後に設置される重量物による上方からの荷重にも対応でき、含水率の変化などによる伸縮により発生する床パネルの変形を防止することができる。
【００１４】
本発明の低床用根太ユニットにおいて、前記根太受金具は、前記支持プレートを最下降位置に配置した際に、前記支持ボルトの頭部が、前記根太支持部に載置された前記根太材の上端面より低くなるように設定されているとよい。
この場合、支持ボルトの頭部は、根太材の上端面よりも常に下方に配置されることになるので、床パネルを敷設する際にも接触する心配がなく、二重床構造の施工時における作業性の向上を図ることができる。
【発明の効果】
【００１５】
本発明によれば、支持プレートのねじ受部よりも根太支持部を低い位置に形成するとともに、ねじ受部の裏面と縦板部とにより形成される空所に接床台座の一部を収納可能にしたので、二重床構造の低床化を図ることができる。
【図面の簡単な説明】
【００１６】
【図１】本発明の第１実施形態の低床用根太ユニットを用いた二重床構造を説明する断面図である。
【図２】図１の根太受金具の斜視図である。
【図３】図１の低床用根太ユニットを用いた根太の施工方法を説明する図である。
【図４】本発明の第１実施形態の低床用根太ユニットを用いた二重床構造を示す床の平面図である。
【図５】支持脚を説明する断面図である。
【図６】図５の支持脚の上面図である。
【図７】本発明の第２実施形態の根太受金具の斜視図である。
【図８】本発明の第２実施形態の低床用根太ユニットを説明する断面図である。
【図９】図８の低床用根太ユニットを用いた根太の施工方法を説明する図である。
【発明を実施するための形態】
【００１７】
以下、本発明の根太受金具を用いた低床用根太ユニットの一実施形態を、図面を参照しながら説明する。
第１実施形態の低床用根太ユニット１は、図１及び図３に示すように、長尺の根太材２０と、根太材２０の長さ方向の途中位置に設けられる複数の根太受金具１０とを備え、高さ調整可能な支持プレート１３を有する根太受金具１０により根太材２０を支持するとともに、根太材２０を壁１０１の壁際に沿って配置し、支持プレート１３を所定の高さに設定した後に固定することにより、際根太１００を施工するものである。
【００１８】
根太受金具１０は、図１及び図２に示すように、基礎床１０２上に配設される防振ゴム１１（接床台座）と、防振ゴム１１に垂直に支持された支持ボルト１２と、支持ボルト１２の上部に係合して支持ボルト１２の回転動作に伴って上下移動する支持プレート１３とから構成されている。
防振ゴム１１は、円錐台形状に設けられており、床パネル１０３上からの衝撃を減衰させて基礎床１０２への伝達を抑制し、遮音性や衝撃緩和性を高めるものである。そして、この防振ゴム１１に支持ボルト１２が回転自在に支持されている。
支持ボルト１２の上端部には、プラスドライバ等が挿入可能な工具挿入溝１２ａが形成されており、支持ボルト１２を回転させることにより、支持プレート１３を上下方向に移動させ、基礎床１０２からの根太の高さを調整することができる。
【００１９】
支持プレート１３は、支持ボルト１２の雄ねじ部１２ｂと係合する雌ねじ部１４ａが形成されたねじ受部１４の一端に、縦板部１５を介して、そのねじ受部１４よりも低い位置になるように、根太材２０の下面を支持する根太支持部１６が屈曲形成されている。そして、ねじ受部１４の裏面と縦板部１５とにより形成される空所に、防振ゴム１１の一部が収納可能なように、縦板部１５が防振ゴム１１の外周面から離れて形成されている。
ねじ受部１４の根太支持部１６からの高さｈは、根太材２０の厚みｔよりも低く形成されている。このねじ受部１４の高さｈは、根太材２０の厚みｔの１／４〜３／４に設定されているとよく、根太材２０の厚みｔとねじ受部１４の高さｈとの差分が調整代となる。より好ましくは、ねじ受部１４の高さｈは、根太材２０の厚みｔの１／２程度とするのがよい。
また、ねじ受部１４と根太支持部１６とを繋ぐ縦板部１５は、ねじ受部１４より幅広に形成され、ねじ受部１４の両側方に張り出して形成されている。そして、その張り出して設けられる両側部１７は、上方に延長するように突出して設けられており、両側部１７により根太材２０を安定して支持することができる。また、この両側部１７には、根太材２０を固定する固定部材（釘又はビス等）を通すための貫通孔１７ａが設けられている。このように、支持プレート１３においては、両側部１７を上方に延長するように突出させて設けることにより、貫通孔１７ａを設ける際の自由度が向上している。
【００２０】
また、図１に二点鎖線で示すように、支持プレート１３を最下降位置に配置した際に、縦板部１５の両側部１７の先端部分及び支持ボルト１３の頭部は、根太支持部１６に載置された根太材２０の上端面より低くなるように設定されている。この場合、支持ボルト１２の頭部は、根太材２０の上端面よりも常に下方に配置されることになる。
また、ねじ受部１４の雌ねじ部１４ａは、下方に折り曲げたバーリング加工によって形成されている。そして、ねじ受部１４の上面には、雌ねじ部１４ａを囲む接着剤溜め１８が周縁部を残して一回り小さい凹状に形成されている。
なお、支持プレート１３は、金属板やプラスチック板（ポリプロピレン、ナイロン等）等で形成されており、本実施形態においては、例えば、板厚２〜３ｍｍの金属板が用いられ、プレス加工により形成されている。
根太支持部１６は、根太材２０を下方から支持する。本実施形態においては、低床用根太ユニット１の組立時の作業性を向上させるため、この根太支持部１６の上面に、根太材２０の仮止め用の両面テープ及び剥離紙（図示略）が設けられている。なお、両面テープ及び剥離紙は、組立作業時の便宜のために設けたものであり、低床用根太ユニットの組立時に必ず必要となるものではない。
【００２１】
このように構成された低床用根太ユニット１及び根太受金具１０を用いて、根太を施工する。
まず、複数の根太受金具１０を根太材２０に固定し、低床用根太ユニット１を組み立てる。支持プレート１３を所定の高さに設定しておいた各根太受金具１０を、一定の間隔をおいて複数並べて立設する。そして、各根太受金具１０の根太支持部１６表面の剥離紙を剥がして両面テープを露出させ、その上に根太材２０を載置する。次に、支持プレート１３の縦板部１５の裏面側から貫通孔１７ａを介して釘又はビス等の固定部材１９を打ち込み、根太受金具１０を根太材２０に固定して低床用根太ユニット１を構成する。この際、根太材２０の壁１０１への取付面２０ａにパッキン２１を取り付ける。
なお、パッキン２１は、両面に粘着面が形成された緩衝材であり、床パネル１０３上からの振動を減衰させて壁１０１への伝達を抑制し、遮音性や衝撃緩和性を高めるものである。また、パッキン２１は、低床用根太ユニット１が基礎床１０２上に垂直に自立するのを補助しており、根太施工時における作業性を向上させることができる。
【００２２】
次に、低床用根太ユニット１を、パッキン２１を介して部屋の壁際に沿って配置し、根太材２０を、壁１０１と縦板部１５との間に挟まれた状態で配置する。このとき、支持ボルト１２の工具挿入溝１２ａに工具を係合させ、支持ボルト１２を軸心回りに回転させる。これにより、支持プレート１３を上下移動させ、根太の基礎床１０２からの高さを微調整し、施工高さに調整することができる。
【００２３】
高さ調整後、接着剤６を支持プレート１３から突出する支持ボルト１２の先端部分に供給し、接着剤６を支持ボルト１２と支持プレート１３の雌ねじ部１４ａとの係合部に注入して支持ボルト１２を固定し、根太の高さが変動しないようにする。上述したように、支持プレート１３の雌ねじ部１４ａの周囲には、凹状の接着剤溜め１８が設けられているので、この接着剤溜め１８で接着剤が保持され、支持ボルト１２と支持プレート１３の雌ねじ部１４ａとの間に接着剤６が入り込み易くなっている。
そして、防振ゴム１１を基礎床１０２上に接着剤等で固定し、際根太の施工を仕上げる。
【００２４】
なお、二重床構造１１０は、図１及び図４に示すように、部屋の壁際に設けられた際根太１００と、基礎床１０２上に配設された支持脚３０との上に下地パネル１０４を介して床パネル１０３を配置することにより、基礎床１０２と床パネル１０３との間に空間部４を構成する。
床パネル１０３を支持する支持脚３０について簡単に説明しておくと、支持脚３０は、図４に示すように、基礎床１０２上に設置され、際根太１００に接しない下地パネル１０４の他の縁部、及び際根太１００から離れた部屋の中央部において、下地パネル１０４を支持するものである。
【００２５】
支持脚３０は、例えば、図５に示すように、基礎床１０２上に配設される防振ゴム３１と、防振ゴム３１に垂直に支持された支持ボルト３２と、下地パネル１０４を支持するとともに、支持ボルト３２の上部に係合して支持ボルト３２の回転動作に伴って上下移動する支持プレート３３とから構成されており、支持プレート３３を上下移動させることにより、下地パネル１０４の基礎床１０２からの高さを調整することができる。
図５に示す支持脚３０においては、支持プレート３３の中央部分にカップ状の凸部３４が突設され、凸部３４の裏面側に同時に形成される凹部３５に防振ゴム３１の一部が収納可能なように、防振ゴム３１の外径と比べて十分大きい内径の凹部３５が形成されている。そして、図６に示すように、支持プレート３３の凸部３４の側面と下地パネル１０４の側面とを当接させて配置することにより、下地パネル１０４を一定の隙間３８を設けて敷設することができる。
なお、下地パネル１０４と支持脚３０とは、セルフタッピングスクリュ３９を下地パネル１０４の上面側から支持プレート３３に打ち込むことにより固定される。
【００２６】
このように、本実施形態の根太受金具１０及び低床用根太ユニット１においては、支持プレート１３のねじ受部１４よりも根太支持部１６を低い位置に形成するとともに、ねじ受部１４の裏面と縦板部１５とにより形成される空所に、防振ゴム１１の一部を収納可能にすることで、二重床構造の低床化を図ることができる。また、この低床用根太ユニット１とともに用いられる支持脚３０においても、下地パネル１０４を支持する支持プレート３３に凸部３４を設け、その裏面側の凹部３５に防振ゴム３１の一部が収納可能にすることで、二重床構造の低床化が図られている。
また、部屋の壁際と支持プレート１３の縦板部１５との間に根太材２０を挟んだ状態で固定して際根太１００を施工することにより、入居後に設置される重量物による上方からの荷重にも対応でき、含水率の変化などによる伸縮により発生する床パネル１０３の変形を防止することができる。さらに、根太材２０を根太受金具１０に固定した状態で高さ調節をすることができるので、根太の施工作業を容易に行うことができる。
また、支持ボルト１２の頭部は、根太材２０の上端面よりも常に下方に配置されるので、床パネル１０３を敷設する際にも接触する心配がなく、二重床構造の施工時における作業性の向上を図ることができる。
【００２７】
次に、本発明の第２実施形態の根太受金具及び低床用根太ユニットについて説明する。
図７及び図８に示すように、根太受金具４０の支持プレート４３は、雌ねじ部４４ａが形成されたねじ受部４４の両端に、縦板部４５を介して、ねじ受部４４よりも低い位置になるように根太材５０の下面を支持する根太支持部４６が屈曲形成されることにより、ねじ受部４４を上面とする凸部４７が形成されている。凸部４７は、その裏側に形成される空所に防振ゴム４１の一部が収納可能に形成されている。
また、根太材５０は、図８及び図９に示すように、その下面側に、支持プレート４３の凸部４７を収納可能な凹部５１と、その凹部５１の上面に支持ボルト４２の上端部を配置可能な調整孔５２とが設けられている。この凹部５１に、支持プレート４３の凸部４７を収納するとともに、根太材５０を、凸部４７の両側に配置された根太支持部４６で支持することにより、低床用根太ユニット２を構成する。
なお、根太支持部４６には、支持プレート４３に根太材５０を固定する固定部材１９（釘又はビス等）を通すための貫通孔４６ａが設けられている。
【００２８】
根太の施工は、第１実施形態と同様に、根太受金具４０と根太材５０とを固定し、低床用根太ユニット２を組み立てた後に、低床用根太ユニット２を、パッキン２１を介して部屋の壁際に沿って配置して行う。なお、低床用根太ユニット２は、施工現場に持ち込む前に予め組み立てておいてもよい。そして、調整孔５２に露出した支持ボルト４２の工具溝に工具を挿入し、根太の基礎床１０２からの高さを微調整した後に、支持ボルト４２を接着剤で固定する。防振ゴム４１を基礎床１０２上に接着剤等で固定し、際根太の施工を仕上げる。
【００２９】
この第２実施形態の根太受金具４０及び低床用根太ユニット２においては、支持プレート４３のねじ受部４４よりも根太支持部４６を低い位置に形成し、支持プレート４３の凸部４７の裏側に防振ゴム４１の一部を収納可能にするとともに、根太材５０の下面に支持プレート４３の凸部４７を収納可能な凹部５１を設けることにより、二重床構造の低床化を図ることができる。
また、ねじ受部４４の両側に設けられる根太支持部４６により根太材５０を支持する構成としたので、低床用根太ユニット２を基礎床１０２上に自立させることができ、根太施工時における作業性を向上させることができる。
【００３０】
なお、本発明は上記実施形態の構成のものに限定されるものではなく、細部構成においては、本発明の趣旨を逸脱しない範囲において種々の変更を加えることが可能である。
例えば、根太材の壁への固定手段は、上述したパッキンの他、釘等を使用してもよい。
【符号の説明】
【００３１】
１，２  低床用根太ユニット
４  空間部
６  接着剤
１０，４０  根太受金具
１１，３１，４１  防振ゴム
１２，３２，４２  支持ボルト
１３，３３，４３  支持プレート
１４，４４  ねじ受部
１５，４５  縦板部
１６，４６  根太支持部
１７  両側部
１８  接着剤溜め
１９  固定部材
２０，５０  根太材
２１  パッキン
３０  支持脚
３４  凸部
３５  凹部
３８  隙間
３９  セルフタッピングスクリュ
５１  凹部
５２  調整孔
１００  際根太
１０１  壁
１０２  基礎床
１０３  床パネル
１０４  下地パネル
１１０  二重床構造
【図１】
2013079529.tif 000003
【図２】
2013079529.tif 000004
【図３】
2013079529.tif 000005
【図４】
2013079529.tif 000006
【図５】
2013079529.tif 000007
【図６】
2013079529.tif 000008
【図７】
2013079529.tif 000009
【図８】
2013079529.tif 000010
【図９】
2013079529.tif 000011